(57)【特許請求の範囲】
【請求項１】
被写体へ出射される照明光の照射位置を変位させることにより前記被写体を走査する走査型内視鏡に設けられた挿入部が挿通される挿入補助具であって、
前記挿入部を挿入口から内部に挿入することが可能であるとともに、前記挿入口から挿入された前記挿入部の先端部を突出口から外部へ突出させることが可能な管路として形成されたガイド部材を有し、
前記管路の周方向に沿った円形状の図形パターンと、前記円形状の図形パターンに交差しかつ前記管路が延びる方向に沿って線状に延びる図形パターンと、が前記ガイド部材の内周面における所定の領域に形成されている
ことを特徴とする挿入補助具。
【請求項２】
前記円形状の図形パターンは、前記挿入補助具を挿通方向から見た際の前記挿入補助具の中心軸に中心点を具備する１つ以上の同心円であり、
前記線状に延びる図形パターンは、当該同心円の径方向に沿って延びる１つ以上の線分であることを特徴とする請求項１に記載の挿入補助具。
【請求項３】
前記挿入部の長手軸周りの回転方向における所定の回転位置を示すマークが外表面に設けられた前記挿入部が挿通され、
前記ガイド部材の周方向における所定の位置を示すマークが前記挿入口の近傍に設けられていることを特徴とする請求項１に記載の挿入補助具。
【請求項４】
前記所定の領域が前記突出口の近傍に設けられていることを特徴とする請求項１に記載の挿入補助具。
【請求項５】
光源から供給される照明光を伝送するように構成された光ファイバと、前記光ファイバの出射端部を揺動することにより、前記光ファイバを経て被写体へ出射される前記照明光の照射位置を変位させるように構成されたアクチュエータ部と、が挿入部に設けられた走査型内視鏡と、
前記被写体を所定の走査パターンで走査させるための駆動信号を前記アクチュエータ部に供給するように構成された走査駆動部と、
前記照明光が照射された前記被写体からの戻り光に応じた画像を生成するように構成された画像生成部と、
前記挿入部を挿入口から内部に挿入することができるとともに、前記挿入口から挿入された前記挿入部の先端部を突出口から外部へ突出させることができるような管路として形成されたガイド部材を有し、前記ガイド部材の内周面における所定の領域に所定の図形が形成されている挿入補助具と、
前記所定の図形を前記被写体として走査した際に前記画像生成部により生成される画像に含まれる前記所定の図形の変形状態に基づき、前記画像生成部から表示装置へ出力される画像の歪みを補正するための制御を行うように構成された制御部と、
を有することを特徴とする光走査型観察システム。
【請求項６】
前記所定の図形は、前記管路が延びる方向に沿って線状に延びる図形であることを特徴とする請求項５に記載の光走査型観察システム。
【請求項７】
前記所定の図形は、前記管路の周方向に沿った円形状の図形であることを特徴とする請求項５に記載の光走査型観察システム。
【請求項８】
前記制御部は、前記管路が延びる方向に沿って線状に延びる図形が変形している場合に、当該変形した図形の変形量に応じた歪み量を算出し、当該算出した歪み量を０または略０にするための制御を前記画像生成部に対して行うことを特徴とする請求項６に記載の光走査型観察システム。
【請求項９】
前記挿入部が前記ガイド部材の内部に所定の長さだけ挿入されていることを示す目盛りが前記挿入部の外表面に設けられていることを特徴とする請求項５に記載の光走査型観察システム。
【請求項１０】
前記挿入部の長手軸周りの回転方向における所定の回転位置を示すマークが前記挿入部の外表面に設けられ、前記ガイド部材の周方向における所定の位置を示すマークが前記挿入口の近傍に設けられていることを特徴とする請求項７に記載の光走査型観察システム。
【請求項１１】
前記所定の領域が前記突出口の近傍に設けられていることを特徴とする請求項５に記載の光走査型観察システム。
【請求項１２】
前記制御部は、前記管路の周方向に沿った円形状の図形が変形している場合に、当該変形した図形の変形量に応じた歪み量を算出し、当該算出した歪み量を０または略０にするための制御を前記走査駆動部に対して行うことを特徴とする請求項７に記載の光走査型観察システム。
【発明の詳細な説明】
【技術分野】
【０００１】
本発明は、挿入補助具及び光走査型観察システムに関し、特に、被写体を走査して画像を得る際に用いられる挿入補助具及び光走査型観察装置に関するものである。
【背景技術】
【０００２】
医療分野の内視鏡においては、被検者の負担を軽減するために、当該被検者の体腔内に挿入される挿入部を細径化するための種々の技術が提案されている。そして、このような技術の一例として、前述の挿入部に相当する部分に固体撮像素子を有しない走査型内視鏡、及び、当該走査型内視鏡を有して構成されたシステムが知られている。【０００３】
具体的には、走査型内視鏡を有するシステムは、例えば、光源から発せられた照明光を照明用ファイバにより伝送し、当該照明光ファイバの先端部に取り付けられた圧電素子等のアクチュエータを駆動させることにより被写体を所定の走査パターンで２次元走査し、当該被写体からの戻り光を照明用ファイバの周囲に配置された受光用ファイバで受光し、当該受光用ファイバで受光された戻り光に基づいて当該被写体の画像を生成するように構成されている。【０００４】
また、走査型内視鏡を有するシステムにおいては、例えば、熱等の外的要因によるアクチュエータの動作特性の変化を相殺するためのキャリブレーションが従来行われている。そして、例えば、日本国特開２０１２−１５２２４４号公報には、走査型内視鏡（の挿入部）を被検者の体腔内に挿入している最中であっても、前述のようなキャリブレーションを行うことが可能な光ファイバスキャン装置が開示されている。【０００５】
具体的には、日本国特開２０１２−１５２２４４号公報には、光ファイバスキャン装置において、スコープと、当該スコープの内部に設けられた光ファイバと、当該スコープの先端部に設けられた当該光ファイバの先端部を変位させるためのアクチュエータと、当該スコープの先端部の内部に設けられた内蔵チャート部材と、当該内蔵チャート部材からの戻り光により内蔵チャート画像を生成する画像生成部と、を具備し、当該内蔵チャート画像を用いてキャリブレーションを行うような構成が開示されている。【０００６】
しかし、日本国特開２０１２−１５２２４４号公報に開示された構成によれば、内蔵チャート部材をスコープの先端部の内部に設けている関係上、例えば、副鼻腔等の狭い管腔内に挿入不可能な程度まで当該スコープの先端部を太経化せざるを得ず、すなわち、走査型内視鏡の利点が損なわれてしまう、という課題が生じている。【０００７】
本発明は、前述した事情に鑑みてなされたものであり、走査型内視鏡を無用に太径化することなく、キャリブレーションを簡便に行うことが可能な挿入補助具及び光走査型観察システムを提供することを目的としている。
【発明の開示】
【課題を解決するための手段】
【０００８】
本発明の一態様の挿入補助具は、被写体へ出射される照明光の照射位置を変位させることにより前記被写体を走査する走査型内視鏡に設けられた挿入部が挿通される挿入補助具であって、前記挿入部を挿入口から内部に挿入することが可能であるとともに、前記挿入口から挿入された前記挿入部の先端部を突出口から外部へ突出させることが可能な管路として形成されたガイド部材を有し、前記管路の周方向に沿った円形状の図形パターンと、前記円形状の図形パターンに交差しかつ前記管路が延びる方向に沿って線状に延びる図形パターンと、が前記ガイド部材の内周面における所定の領域に形成されている。
【０００９】
本発明の一態様の光走査型観察システムは、光源から供給される照明光を伝送するように構成された光ファイバと、前記光ファイバの出射端部を揺動することにより、前記光ファイバを経て被写体へ出射される前記照明光の照射位置を変位させるように構成されたアクチュエータ部と、が挿入部に設けられた走査型内視鏡と、前記被写体を所定の走査パターンで走査させるための駆動信号を前記アクチュエータ部に供給するように構成された走査駆動部と、前記照明光が照射された前記被写体からの戻り光に応じた画像を生成するように構成された画像生成部と、前記挿入部を挿入口から内部に挿入することができるとともに、前記挿入口から挿入された前記挿入部の先端部を突出口から外部へ突出させることができるような管路として形成されたガイド部材を有し、前記ガイド部材の内周面における所定の領域に所定の図形が形成されている挿入補助具と、前記所定の図形を前記被写体として走査した際に前記画像生成部により生成される画像に含まれる前記所定の図形の変形状態に基づき、前記画像生成部から表示装置へ出力される画像の歪みを補正するための制御を行うように構成された制御部と、を有する。
【図面の簡単な説明】
【００１０】
【図１】実施例に係る挿入補助具を含む光走査型観察システムの要部の構成を示す図。
【図２】ガイドシースの内周面に形成された図形パターンを走査して得られる画像の一例を示す図。
【図３】ガイドシースの内周面に形成された図形パターンを走査して得られる画像の、図２とは異なる例を示す図。
【図４】ガイドシースの内周面に形成された図形パターンを走査して得られる画像の、図２及び図３とは異なる例を示す図。
【図５】ガイドシースの内周面に形成された、図２とは異なる図形パターンを走査して得られる画像の一例を示す図。
【図６】挿入部の先端部がガイドシースの中心軸に対して偏心した状態を説明するための模式図。
【発明を実施するための最良の形態】
【００１１】
以下、本発明の実施の形態について、図面を参照しつつ説明を行う。【００１２】
図１から図６は、本発明の実施例に係るものである。図１は、実施例に係る挿入補助具を含む光走査型観察システムの要部の構成を示す図である。【００１３】
光走査型観察システム１０１は、図１に示すように、走査型内視鏡１と、挿入補助具２と、本体装置３と、表示装置４と、を有して構成されている。【００１４】
走査型内視鏡１は、細長形状及び可撓性を備えて形成された挿入部１１を有して構成されている。【００１５】
挿入部１１の基端部には、走査型内視鏡１を本体装置３のコネクタ受け部（不図示）に着脱自在に接続するためのコネクタ部（不図示）が設けられている。また、挿入部１１の基端部の外表面における所定の位置ＰＡ（図１参照）には、挿入部１１が挿入補助具２のガイドシース２１（後述）の内部に所定の長さＬだけ挿入されていることを示す目盛りが設けられている。【００１６】
なお、所定の位置ＰＡは、挿入部１１を挿入補助具２のガイドシース２１の内部に所定の長さＬだけ挿入した状態において、所定の領域ＰＢ（後述）を走査することができるように予め位置合わせされている。【００１７】
挿入部１１の内部における基端部から先端部にかけての部分には、本体装置３の光源部３１から供給された光を照明レンズ１４へ伝送する光ファイバ１２と、被写体からの戻り光を受光して本体装置３の光検出部３３へ伝送する光ファイババンドル１３と、がそれぞれ挿通されている。【００１８】
光ファイバ１２の光入射面を含む入射端部は、本体装置３の光源部３１に配置されている。また、光ファイバ１２の光出射面を含む出射端部は、挿入部１１の先端部に設けられた照明レンズ１４の光入射面の近傍に配置されている。【００１９】
光ファイババンドル１３の光入射面を含む入射端部は、挿入部１１の先端部の先端面における、照明レンズ１４の光出射面の周囲に固定配置されている。また、光ファイババンドル１３の光出射面を含む出射端部は、本体装置３の内部に設けられた光検出部３３に配置されている。【００２０】
挿入部１１の先端部側における光ファイバ１２の中途部には、本体装置３の走査駆動部３２から供給される駆動信号に基づいて駆動することにより、光ファイバ１２の出射端部を揺動させることができるように構成されたアクチュエータ部１５が設けられている。【００２１】
アクチュエータ部１５は、例えば、本体装置３の走査駆動部３２から供給される駆動信号に基づいて駆動することにより、光ファイバ１２の出射端部を第１の方向に沿って揺動させることが可能な１つ以上の圧電素子を備えた第１のアクチュエータ（不図示）と、本体装置３の走査駆動部３２から供給される駆動信号に基づいて駆動することにより、当該出射端部を当該第１の方向に直交する第２の方向に揺動させることが可能な１つ以上の圧電素子を備えた第２のアクチュエータ（不図示）と、を具備して構成されている。【００２２】
挿入補助具２は、例えば、可撓性を具備する細長な管状部材により形成されたガイドシース２１を具備し、挿入部１１をガイドシース２１の内部に挿通することができるように構成されている。【００２３】
ガイドシース２１は、基端部側の挿入口２１Ａから内部に挿入部１１を挿入することが可能であるとともに、先端部側の突出口２１Ｂから外部へ挿入部１１の先端部を突出させることが可能な管路として形成されている。【００２４】
ガイドシース２１の先端部の内周面における所定の領域ＰＢには、アクチュエータ部１５の動作特性の変化を補正するためのキャリブレーションを行う際に走査型内視鏡１により走査される図形パターンが形成されている。すなわち、所定の領域ＰＢは、ガイドシース２１の突出口２１Ｂの近傍に設けられている。【００２５】
前述の図形パターンは、例えば、ガイドシース２１の長手方向に相当する挿通方向に沿って位置する１つ以上の図形を有して形成されている。または、前述の図形パターンは、例えば、ガイドシース２１の長手方向に相当する挿通方向に沿って位置する１つ以上の図形と、ガイドシース２１の周方向に沿って位置する１つ以上の図形と、を有して形成されている。【００２６】
なお、本実施例によれば、ガイドシース２１の内周面である限りにおいては、所定の領域ＰＢとは異なる領域に前述の図形パターンが形成されていてもよい。また、前述の図形パターンは、例えば、所定の領域ＰＢに描かれた模様として形成されるものであってもよく、または、所定の領域ＰＢを変形して形成されるものであってもよい。【００２７】
本体装置３は、光源部３１と、走査駆動部３２と、光検出部３３と、画像生成部３４と、記憶部３５と、制御部３６と、を有して構成されている。【００２８】
光源部３１は、被写体を照明するための照明光を光ファイバ１２に供給するように構成されている。具体的には、光源部３１は、例えば、赤色光を発する赤色レーザ光源と、緑色光を発する緑色レーザ光源と、青色光を発する青色レーザ光源と、を具備し、赤、緑及び青の各色の光を合波した白色光を照明光として光ファイバ１２に供給するように構成されている。【００２９】
走査駆動部３２は、例えば、信号発生器等を具備して構成されている。また、走査駆動部３２は、光ファイバ１２の出射端部を渦巻状またはリサージュ状等の所定の走査パターンで揺動させるための駆動信号を生成し、当該生成した駆動信号をアクチュエータ部１５へ供給するように構成されている。また、走査駆動部３２は、制御部３６の制御に応じ、アクチュエータ部１５へ供給する駆動信号の振幅及び／または位相の大きさを較正することにより、当該駆動信号の信号波形を補正するように構成されている。【００３０】
すなわち、以上に述べた構成によれば、走査駆動部３２から供給される駆動信号に応じてアクチュエータ部１５が駆動することにより、光ファイバ１２の出射端部が揺動されるとともに、当該出射端部を経て被写体へ出射される照明光の照射位置が渦巻状またはリサージュ状等の所定の走査パターンに沿って変位する。そのため、以上に述べた構成によれば、渦巻状またはリサージュ状等の所定の走査パターンで被写体を走査することができる。【００３１】
光検出部３３は、例えば、アバランシェフォトダイオード、信号増幅器及びＡ／Ｄ変換器等を具備して構成されている。また、光検出部３３は、光ファイババンドル１３の光出射面から出射される戻り光を検出し、当該検出した戻り光の強度に応じた信号を生成し、当該生成した信号を画像生成部３４へ出力するように構成されている。【００３２】
画像生成部３４は、例えば、画像処理回路等を具備して構成されている。また、画像生成部３４は、光検出部３３から出力される信号を画素情報としてマッピングするマッピング処理等の画像処理を行うことにより画像を生成し、当該生成した画像を制御部３６及び表示装置４へ出力するように構成されている。また、画像生成部３４は、例えば、基準画像取得スイッチ（不図示）が操作されたことを検知した際に、前述のように生成した画像を記憶部３５へ出力するように構成されている。また、画像生成部３４は、制御部３６の制御に応じ、マッピング処理等の画像処理における所定のパラメータを較正することにより、当該画像処理により生成される画像を補正するように構成されている。すなわち、画像生成部３４は、光検出部３３において検出された戻り光に応じた画像を生成するように構成されている。【００３３】
記憶部３５は、例えば、ＲＡＭ（ランダムアクセスメモリ）等の記憶装置等を具備して構成されている。また、記憶部３５は、基準画像取得スイッチの操作に応じて画像生成部３４から出力される画像を、キャリブレーションの基準となる基準画像として格納するように構成されている。【００３４】
制御部３６は、例えば、ＣＰＵ等を具備して構成されている。また、制御部３６は、例えば、キャリブレーション実行スイッチ（不図示）が操作されたことを検知した際に、記憶部３５から読み込んだ基準画像に対する、画像生成部３４から出力される画像の歪み量を算出し、当該算出した歪み量に応じた制御を走査駆動部３２及び画像生成部３４のうちの少なくとも一方に対して行うように構成されている。【００３５】
続いて、本実施例の作用について説明する。なお、以降の説明において述べる動作等は、渦巻状の走査パターンで被写体を走査する場合を想定したものになっているが、リサージュ状等の他の走査パターンで被写体を走査する場合であっても略同様に適用される。【００３６】
まず、術者等のユーザは、被検体の管腔内にガイドシース２１を挿入してゆく。また、ユーザは、走査型内視鏡１による被写体の走査を開始させるとともに、本体装置３による画像の生成を開始させた状態において、挿入部１１の基端部の外表面に設けられた目盛りを参照しつつ、挿入補助具２の挿入口２１Ａからガイドシース２１の内部へ挿入部１１を挿入してゆく。【００３７】
その後、ユーザは、所定の位置ＰＡと挿入口２１Ａとが揃うまで挿入部１１を挿入した状態、すなわち、挿入部１１をガイドシース２１の内部に所定の長さＬだけ挿入した状態において、基準画像取得スイッチを操作する。そして、このような操作に応じ、所定の領域ＰＢを走査した画像が画像生成部３４により生成され、当該生成された画像が記憶部３５及び表示装置４へ出力される。【００３８】
ここで、例えば、所定の領域ＰＢに形成されている図形パターンが、ガイドシース２１の周方向に沿って位置する４つの円と、当該４つの円をそれぞれ４等分するようにガイドシース２１の挿通方向に沿って位置する４つの線分と、を有して形成されている場合には、図２に示すような画像が制御部３６及び表示装置４へ出力されるとともに、当該画像が基準画像として記憶部３５に格納される。図２は、ガイドシースの内周面に形成された図形パターンを走査して得られる画像の一例を示す図である。【００３９】
すなわち、所定の領域ＰＢを走査して得られる画像には、ガイドシース２１の中心軸上に中心点を具備する１つ以上の同心円と、当該１つ以上の同心円の径方向に沿って放射状に延びる１つ以上の線分と、が含まれている。【００４０】
一方、ユーザは、挿入部１１の先端部を突出口２１Ｂから突出させた状態において、表示装置４に表示される画像を確認することにより、被検体の管腔内の所望の被写体を観察する。【００４１】
また、ユーザは、所望の被写体を観察している最中において、例えば、当該所望の被写体の解剖学的な位置関係等に基づいて表示装置４に表示される画像に歪みが生じていることを発見した際に、目盛りが見えるまで挿入部１１をガイドシース２１の内部に引き込むための操作を行った後、キャリブレーション実行スイッチを操作する。そして、このような操作に応じ、挿入部１１がガイドシース２１の内部に所定の長さＬだけ挿入されている状態、すなわち、基準画像取得スイッチの操作時と同様の状態で所定の領域ＰＢが走査され、所定の領域ＰＢを走査した画像が画像生成部３４により生成され、当該生成された画像が制御部３６及び表示装置４へ出力される。【００４２】
制御部３６は、キャリブレーション実行スイッチが操作されたことを検知すると、記憶部３５から読み込んだ基準画像に対する、画像生成部３４から出力される画像の歪み量を算出し、当該算出した歪み量に応じた制御を走査駆動部３２及び画像生成部３４のうちの少なくとも一方に対して行う。【００４３】
ここで、表示装置４に表示される画像に歪みが生じている場合には、例えば、図３及び図４に示すように、図２に示す画像に含まれる各円及び各線分のうちの少なくとも１つ以上の図形が変形する。図３は、ガイドシースの内周面に形成された図形パターンを走査して得られる画像の、図２とは異なる例を示す図である。図４は、ガイドシースの内周面に形成された図形パターンを走査して得られる画像の、図２及び図３とは異なる例を示す図である。【００４４】
そのため、制御部３６は、例えば、図２に示すような基準画像が記憶部３５に格納され、かつ、画像生成部３４から出力される画像における４つの円のうちの１つ以上の円が楕円状等に変形している場合（図３参照）には、当該１つ以上の円の変形量に応じた歪み量を算出し、当該算出した歪み量を０または略０にするような信号波形を具備する駆動信号をアクチュエータ部１５へ供給させるための制御を走査駆動部３２に対して行う。また、制御部３６は、例えば、図２に示すような基準画像が記憶部３５に格納され、かつ、画像生成部３４から出力される画像における４つの線分のうちの１つ以上の線分が曲線状等に変形している場合（図４参照）には、当該１つ以上の線分の変形量に応じた歪み量を算出し、当該算出した歪み量を０または略０にするようなパラメータで画像を生成させるための制御を画像生成部３４に対して行う。【００４５】
すなわち、制御部３６は、所定の領域ＰＢに形成された図形パターンを走査した際に画像生成部３４により生成される画像に含まれる各図形の変形状態に基づき、画像生成部３４から表示装置４へ出力される画像の歪みを補正するための制御を走査駆動部３２及び画像生成部３４のうちの少なくとも一方に対して行う。【００４６】
なお、本実施例によれば、表示装置４に表示される画像の歪みの発生をユーザが目視で認識するものに限らず、表示装置４に表示される画像の歪みの発生をユーザに認識させるための動作が行われるようにしてもよい。具体的には、例えば、画像生成部３４により生成される画像に対してパターンマッチング処理を施した結果に基づいて、または、走査駆動部３２から出力される駆動信号をモニタリングした結果に基づいて歪み量をリアルタイムに算出し、当該算出した歪み量が所定の閾値を超えている際に、所定の文字列または記号等を表示装置４に表示させるようにしてもよい。【００４７】
また、本実施例によれば、例えば、挿入部１１がガイドシース２１の内部に所定の長さＬだけ挿入されたことを光学的に検出するための光検出器等を備えた挿入検出装置を挿入口２１Ａの近傍及び所定の位置ＰＡに設け、さらに、当該挿入検出装置からの検出信号に応じ、記憶部３５への画像の出力、及び、制御部３６による歪み量の算出がそれぞれ行われるようにしてもよい。【００４８】
また、本実施例によれば、前述のような円及び線分を備えた図形パターンが所定の領域ＰＢに形成されているものに限らず、例えば、所定の面積を有する複数の円形の点をガイドシース２１の挿通方向に沿うように並べて配置することにより形成される、１つ以上の点列を備えた図形パターンが所定の領域ＰＢに形成されていてもよい。【００４９】
ここで、前述のような点列を備えた図形パターンにおいては、例えば、画像生成部３４から出力される画像に含まれる点列の各点の面積及び並び方向の変化等を当該点列の変形量として扱うことにより、当該変形量に応じた歪み量を算出することができる。そのため、例えば、前述のような点列を４つ備えた図形パターンが所定の領域ＰＢに形成されている場合においては、例えば、図５に示すような基準画像を記憶部３５に格納し、さらに、当該基準画像に対する歪み量を制御部３６において算出することにより、当該算出した歪み量を０または略０にするための制御を行うことができる。図５は、ガイドシースの内周面に形成された、図２とは異なる図形パターンを走査して得られる画像の一例を示す図である。【００５０】
また、本実施例によれば、例えば、挿入部１１がガイドシース２１の内部に所定の長さＬだけ挿入されていることを示す目盛りを所定の位置ＰＡに設け、挿入部１１の長手軸周りの回転方向における所定の回転位置を示すマークを挿入部１１の基端部の外表面に設け、ガイドシース２１の周方向における所定の位置を示すマークを挿入口２１Ａの近傍に設けるようにしてもよい。そして、このような構成によれば、例えば、所定の位置ＰＡと挿入口２１Ａとが揃うまで挿入部１１をガイドシース２１の内部に挿入し、さらに、所定の位置ＰＡの近傍に設けられたマークと挿入口２１Ａの近傍に設けられたマークとが揃うように挿入部１１を長手軸周りに回転させた状態で所定の領域ＰＢを走査することができる。そのため、前述のような目盛り及びマークを備えた構成によれば、例えば、図６に示すような場合、すなわち、挿入部１１の先端部がガイドシース２１の中心軸に対して偏心した状態で配置されるような場合であっても、歪み量の算出及び当該歪み量を０または略０にするための制御を制御部３６において行うことができる。図６は、挿入部の先端部がガイドシースの中心軸に対して偏心した状態を説明するための模式図である。【００５１】
以上に述べたように、本実施例によれば、挿入部１１の内部に特別な構造物を設けることなく、表示装置４に表示される画像の歪みを補正するためのキャリブレーションを行うことができる。また、以上に述べたように、本実施例によれば、例えば、挿入部１１の先端部を突出口２１Ｂから突出させた状態で被写体の走査を行っている最中において、表示装置４に表示される画像に歪みが生じたとしても、挿入部１１をガイドシース２１から抜去せずにキャリブレーションを行うことができる。そのため、本実施例によれば、走査型内視鏡を無用に太径化することなく、キャリブレーションを簡便に行うことができる。【００５２】
なお、本発明は、上述した各実施例に限定されるものではなく、発明の趣旨を逸脱しない範囲内において種々の変更や応用が可能であることは勿論である。【００５３】
なお、本発明は、上述した実施形態に限定されるものではなく、発明の趣旨を逸脱しない範囲内において種々の変更や応用が可能であることは勿論である。【００５４】
本出願は、２０１４年６月５日に日本国に出願された特願２０１４−１１６９９７号を優先権主張の基礎として出願するものであり、上記の開示内容は、本願明細書、請求の範囲、図面に引用されたものとする。
【図１】
0005974193.tif 000002
【図２】
0005974193.tif 000003
【図３】
0005974193.tif 000004
【図４】
0005974193.tif 000005
【図５】
0005974193.tif 000006
【図６】
0005974193.tif 000007